(57)【要約】【課題】蓋体を回転させることで同時に排出可能な芯の本数を調整できると共に、回転する際に必要になる回転角度を小さくする替芯ケースをことを提供すること。【解決手段】内部に棒状の芯２を収納可能なケース本体３と、ケース本体３に対して回転自在に係止した蓋体５と、を備え、蓋体５を回転することでケース本体３の内部と外部とを連通する芯通路が形成され、ケース本体３の上部に形成した開口部に蓋固定部材４が装着され、蓋固定部材４に芯２が挿通可能な連絡孔が形成され、蓋体５には、芯２が通過可能な小口通路５ｅ１と、小口通路５ｅ１より大きな幅を有する大口通路５ｅ２と、が形成され、小口通路５ｅ１と大口通路５ｅ２とを交差するよう構成すると共に、蓋体５を蓋固定部材４に回転自在に係止する。【選択図】図２
2019064019.tif 000002
【特許請求の範囲】
【請求項１】
内部に棒状の芯を収納可能なケース本体と、該ケース本体に対して回転自在に係止した蓋体と、を備え、
前記蓋体を回転することで前記ケース本体の内部と外部とを連通する芯通路が形成される替芯ケースにおいて、
前記ケース本体の上部に形成した開口部に蓋固定部材が装着され、該蓋固定部材に前記芯が挿通可能な連絡孔が形成してなり、
前記蓋体には、前記芯が通過可能な小口通路と、該小口通路より大きな幅を有する大口通路と、が形成され、当該小口通路と該大口通路とを交差するよう構成すると共に、該蓋体は前記蓋固定部材に回転自在に係止され、
前記蓋体を前記ケース本体に対して回転することで、前記蓋固定部材の連絡孔と前記蓋体の小口通路とが合致したときは、一本又は複数本の芯が同時に通過可能な第一芯通路が形成され、前記蓋固定部材の連絡孔と前記蓋体の大口通路とが合致したときは、前記第一芯通路よりも多い芯が同時に通過可能な第二芯通路が形成されることを特徴とした替芯ケース。
【請求項２】
前記蓋体が、外周面に沿って形成された複数の被掛止部を有し、
前記蓋固定部材が、前記連絡孔を有する基部と、該基部から上方へ向って突出するよう形成され前記蓋体を回転自在に係止する係止部を備えた支持アームと、前記基部から上方へ向って突出するよう形成され先端に掛止部を備えた掛止アームと、を具備し、
前記掛止アームは前記基部に対して傾動自在に形成され、
前記蓋体を回転することで、前記掛止アームの掛止部と前記蓋体の被掛止部とが掛止するよう構成したことを特徴とする請求項１に記載の替芯ケース。
【請求項３】
前記蓋固定部材の支持アームに係止部が形成され、
前記蓋体が、前記係止部に対して回転自在に係止する被係止部と、前記支持アームと当接可能に形成された複数のストッパー部と、を備え、
前記蓋体を回転した際、前記ストッパー部と前記支持アームとが当接することで前記蓋体の回転範囲が制限されるよう構成したことを特徴とする請求項１または２に記載の替芯ケース。
【請求項４】
前記小口通路と前記大口通路とが交差する交差部に凸曲面状の面取部を設けたことを特徴とする請求項１ないし３の何れか１項に記載の替芯ケース。
【請求項５】
前記蓋固定部材の下端部に前記連絡孔へ向って傾斜する傾斜部を設けたことを特徴とする請求項１ないし４の何れか１項に記載の替芯ケース。
【発明の詳細な説明】
【技術分野】
【０００１】
本発明は、棒状の芯を収納するための替芯ケースに関し、特に一度に排出する芯の本数を変更可能な替芯ケースに関するものである。
【背景技術】
【０００２】
従来からこの種の替芯ケースとして、例えば特許文献１に開示のように、蓋体を一方向に回転する事で１本の芯、もしくは他方向に回転することで複数の芯が通過可能な芯出口が形成されるシャープペンシル用の替芯ケースが知られている。       
【０００３】
しかしながら、特許文献１のような替芯ケースにあっては、蓋体を回転して芯出口を形成するまでの回転角度が大きく、特に１本の芯のみが通過可能な芯出口に合わせた状態から複数の芯が通過可能な芯出口にあわせるのには１８０度の回転が必要になるため、一度の動作では回転しきれず、回転動作に手間が掛かるものであった。
また、特許文献１の構造では、芯を１本のみ通過させる芯出口と複数の芯を同時に通過させる芯出口の位置が異なるため、蓋体の回転動作を誤り、使用者が意図しない側の芯出口が開放されてしまうと、芯出口から排出させた芯を掴むことができず、芯が落下して破損する虞があった。
【先行技術文献】
【特許文献】
【０００４】
【特許文献１】特開２００８−０７３８５９号公報
【発明の概要】
【発明が解決しようとする課題】
【０００５】
本発明は、前記問題を鑑みてなされたものであって、蓋体を回転させることで同時に排出可能な芯の本数を調整できると共に、回転する際に必要になる回転角度を小さくする替芯ケースをことを提供することを目的とした。
【課題を解決するための手段】
【０００６】
本発明は、
「１．内部に棒状の芯を収納可能なケース本体と、該ケース本体に対して回転自在に係止した蓋体と、を備え、
前記蓋体を回転することで前記ケース本体の内部と外部とを連通する芯通路が形成される替芯ケースにおいて、
前記ケース本体の上部に形成した開口部に蓋固定部材が装着され、該蓋固定部材に前記芯が挿通可能な連絡孔が形成してなり、
前記蓋体には、前記芯が通過可能な小口通路と、該小口通路より大きな幅を有する大口通路と、が形成され、当該小口通路と該大口通路とを交差するよう構成すると共に、該蓋体は前記蓋固定部材に回転自在に係止され、
前記蓋体を前記ケース本体に対して回転することで、前記蓋固定部材の連絡孔と前記蓋体の小口通路とが合致したときは、一本又は複数本の芯が同時に通過可能な第一芯通路が形成され、前記蓋固定部材の連絡孔と前記蓋体の大口通路とが合致したときは、前記第一芯通路よりも多い芯が同時に通過可能な第二芯通路が形成されることを特徴とした替芯ケース。
２．前記蓋体が、外周面に沿って形成された複数の被掛止部を有し、
前記蓋固定部材が、前記連絡孔を有する基部と、該基部から上方へ向って突出するよう形成され前記蓋体を回転自在に係止する係止部を備えた支持アームと、前記基部から上方へ向って突出するよう形成され先端に掛止部を備えた掛止アームと、を具備し、
前記掛止アームは前記基部に対して傾動自在に形成され、
前記蓋体を回転することで、前記掛止アームの掛止部と前記蓋体の被掛止部とが掛止するよう構成したことを特徴とする前記１項に記載の替芯ケース。
３．前記蓋固定部材の支持アームに係止部が形成され、
前記蓋体が、前記係止部に対して回転自在に係止する被係止部と、前記支持アームと当接可能に形成された複数のストッパー部と、を備え、
前記蓋体を回転した際、前記ストッパー部と前記支持アームとが当接することで前記蓋体の回転範囲が制限されるよう構成したことを特徴とする前記１項または２項に記載の替芯ケース。
４．前記小口通路と前記大口通路とが交差する交差部に凸曲面状の面取部を設けたことを特徴とする前記１項ないし３項の何れか１項に記載の替芯ケース。
５．前記蓋固定部材の下端部に前記連絡孔へ向って傾斜する傾斜部を設けたことを特徴とする前記１項ないし４項の何れか１項に記載の替芯ケース。」である。
【０００７】
本発明によれば、蓋体に設ける芯が通るための２つの通路、即ち小口通路と大口通路とを交差させて形成することで、蓋体を回転させたときに該蓋体と蓋固定部材との間に形成される第一芯通路及び第二芯通路への切り替えに必要な回転角度を小さくすることができる。このため、一度の回転動作で芯通路を切り替えることができる。
また、蓋体を回転させて芯通路を形成する際、第一芯通路と第二芯通路が略同位置に形成されるため、芯が排出される部分が特定されることから、替芯ケースから排出した芯を落下させる危険性を減らすことができる。
【０００８】
尚、第一芯通路から第二芯通路への切り替えに必要な蓋体の回転角度は、指による一度の回転動作で操作できるよう９０度以下にすることが好ましく、６０度以下に形成することがより好ましい。
また、蓋体の回転動作に必要な回転角度を小さくすることで、ケース本体から蓋体を露出させる面積を小さくすることができるため、替芯ケースの保管時に、指や一緒に保管している他の物品が蓋体に当たり、意図せずに蓋体が回転して芯通路が開放され、芯が誤って排出されてしまうことを防止できる。
【０００９】
次に、蓋固定部材に形成する掛止アームと蓋体とを掛止可能に構成することで、蓋体が不用意に回転しないようにすることが好ましく、蓋体を回転させた際に第一芯通路及び第二芯通路が形成された状態を維持することで芯の排出時に蓋体が使用者の意に反して回転して芯の通路が塞がることを防止でき、また、芯が通る通路が形成されない状態を維持させることで、携帯時に芯が排出されてしまうことを防止することができる。
また、掛止アームの掛止部と蓋体の被掛止部とを係止させる手段としては、特に限定されないが、例えば、掛止部に凸状に形成した凸状部を形成し、被掛止部に凹状の凹状部を形成して、凹状部に凸状部が嵌ることで掛止アームと蓋体とを掛止させてもよく、掛止部に凹状に形成した凹状部を形成し、被係止部に凸状の凸状部を形成して、凹状部に凸状部が嵌ることで掛止アームと蓋体とを掛止させてもよい。
【００１０】
尚、蓋固定部材の掛止アームと蓋体とが掛止した状態から蓋体を回転させて、掛止状態を解除するのに必要な回転トルクは、保管時に使用者の意に反して回転してしまうことを防ぐと共に、指で容易に回転できるようにする必要があるため、０．００４Ｎ・ｍ以上０．０４０Ｎ・ｍ以下に構成することが好ましく、０．００７Ｎ・ｍ以上０．０１８Ｎ・ｍ以下に構成することがより好ましい。
【００１１】
また、蓋体の表面部には外方へ突出する複数のストッパー部を設けることが好ましく、蓋体を回転した際にストッパーと支持アームとを当接可能に構成することで、蓋体の回転範囲を規制することができ、必要以上に回転させてしまうことを防止できる。
【００１２】
尚、少なくともストッパー部と支持アームが当接した際は、前記掛止アームの掛止部と蓋体の被掛止部とが掛止状態になるよう構成することが好ましく、この場合、ストッパーにより蓋体の回転が停止するのと同時に掛止アームと蓋体とが掛止するため、使用者は掛止アームと蓋体とを掛止することに意識を集中させる必要がなく、更に掛止状態を維持させることができるため、芯通路から芯を排出させる動作が容易となる。
【００１３】
また、蓋体の小口通路と大口通路とが交差する交差部に凸曲面状の面取部を設けることが好ましく、この場合、小口通路と大口通路との交差部に形成されるエッジ部をなくすことで、小口通路または大口通路を芯が通過する際に、交差部に芯が引っ掛かるのを防止できる。
【００１４】
更に、蓋固定部材の下端部には連絡孔に向って傾斜する傾斜部を形成することが好ましく、芯を排出する際は、一般的に替芯ケースを上下逆にして把持するため、傾斜部により芯が連絡孔に集まり、芯が連絡孔に誘導される効果を奏する。
【００１５】
また、蓋固定部材の連絡孔とつながる小口通路の入口部は連絡孔に合わせて徐々に拡大させて形成することが好ましく、これにより連絡孔を通過してきた芯が小さな小口通路に入るときに入口部で引っ掛かることを防止できる。
【００１６】
更に、大口通路と小口通路とを蓋体の他の部分とは色調を変えて形成してもよく、この場合、色調を変えることで、蓋体を回転させた際、芯通路が形成されたか否かを外部から目視で確認することができる。
【００１７】
また、掛止アームの掛止部と蓋体の被掛止部とを係止させる際、掛止音が発生するよう構成することが好ましく、この場合、掛止したかどうかを目視や触感だけでなく音でも認識することができる。
尚、掛止音を発生させる手段としては、特に限定されないが、例えば、蓋体の内方に空洞部を設けて掛止音を反響させ、掛止音を大きくして聞き取り易くしてもよい。
【００１８】
また、蓋体の側面には指で回転させる際に滑らないよう滑り止めを設けることが好ましい。具体的には、例えば、蓋体の側面に凹状部を設けて滑り難くしてもよく、側面に突起部を設けて滑り難くしてもよく、蓋体を合成ゴムや熱可塑性エラストマー、シリコン等のゴム弾性を有する柔軟な材料で形成することで滑り難くしてもよい。
【００１９】
尚、本発明の替芯ケース内に収納する芯は、最大幅（最大径）が０．１ｍｍから２．０ｍｍの棒状の芯を用いることができる。
【発明の効果】
【００２０】
本発明により、蓋体を回転させることで同時に排出可能な芯の本数を調整できると共に、回転する際に必要になる回転角度を小さくする替芯ケースをことを提供することができた。
【図面の簡単な説明】
【００２１】
【図１】実施例１の替芯ケースの側面図である。
【図２】図１の替芯ケースの縦断面図である。
【図３】図２の替芯ケースの要部を拡大した拡大縦断面図である。
【図４】蓋固定部材の拡大側面図である。
【図５】図４におけるＡ−Ａ線断面図である。
【図６】蓋体の拡大側面図である。
【図７】図３の状態から蓋体を回転して第一芯通路を形成した状態を示す縦断面図である。
【図８】図７の状態から芯を排出する動作を説明するための説明図である。
【図９】図７状態から蓋体を回転して第二芯通路を形成した状態を示す縦断面図である。
【図１０】図９の状態から芯を排出する動作を説明するための説明図である。
【００２２】
次に図面を参照しながら、本発明の替芯ケースをシャープペンシル用の替芯ケースを用いて詳細に説明するが、本発明は以下の実施例に限定されるものではない。
また、替芯ケースのケース本体に対して、蓋体がある方向を上方と表現し、その反対方向を下方と表現すると共に、蓋体の取付孔がある面を表面と表現し、その反対面を裏面と表現する。
尚、説明を分かりやすくするために、図面中の同様の部材、同様の部分については同じ符号を付してある。
【００２３】
実施例１
本実施例の替芯ケース１は、図１から図６に示すように、内部にシャープペンシル用の芯２を収納可能な芯収納部３ａを備えたケース本体３と、ケース本体３の上部開口部に装着された蓋固定部材４と、蓋固定部材４に回転自在に装着された蓋体５と、で構成してある。
【００２４】
ケース本体３は、透明なＡＳ樹脂を用いて射出成形により形成してあり、内部が透視できるようにしてある。また、ケース本体３の形状としては、上部が開口した箱状に形成してあり、上部表面部３ｂに内孔部３ｃまで貫通する取付孔３ｄが形成してある。更に、ケース本体３の上部には、上端３ｅから側面３ｆに向けて切り欠かれた切欠部３ｇが形成してある。
尚、ケース本体３の内孔部３ｃには左右で上下方向の位置が異なる内段部３ｈが形成してある。
【００２５】
次に、蓋固定部材４は、ＰＯＭ樹脂を用いて射出成形により形成してあり、図２から図５に示すように、板状の基部４ａの上端面から上方へ向って突出する支持アーム４ｂと、同じく基部４ａの上端面から上方へ向って突出する掛止アーム４ｃと、基部４ａの側端と連接して上方へ延びる固定アーム４ｄと、が形成してある。
また、支持アーム４ｂの上部には表裏を貫通する係止孔４ｅが形成してある。
【００２６】
掛止アーム４ｃは、基部４ａに対して傾動可能に形成すると共に、上端部に掛止部４ｆが形成してあり、掛止部４ｆには側方へ向って突出するよう形成された掛止凸部４ｇを設けてある。尚、掛止凸部４ｇの先端は半球状の曲率面で形成してある。また、固定アーム４ｄには、図４に示すように、上部表面に凸状の固定突起４ｈが形成してあり、固定突起４ｈをケース本体３の取付孔３ｄに嵌着することで、蓋固定部材４をケース本体３に着脱不能に装着してある。
【００２７】
また、蓋固定部材４の基部４ａには、上下方向に貫通し、芯２が複数本同時に通過可能な連絡孔４ｉを形成してあり、基部４ａの下端部には、連絡孔４ｉに向って傾斜する傾斜面４ｊ（傾斜部）が形成してある。そして、芯２を排出するために替芯ケース１を上下逆さで保持した際、ケース本体３の芯収納部３ａに収納した芯２が傾斜面４ｊを伝って連絡孔４ｉに集まるよう構成してある。尚、図５に示すように、傾斜面４ｊは表面及び裏面側から中心に向って傾斜して形成してあり、より芯が中心の連絡孔４ｉに集まり易いよう構成してある。
【００２８】
蓋体５は、ＡＢＳ樹脂を用いて射出成形により形成してあり、図３及び図６に示すように、正面から見て円板状に形成してある。また、その表面には、最も厚く形成された第一表面部５ａと、蓋体５の表面全体に対して１／３程度の面積を有し薄く形成された第二表面部５ｂと、を備えており、図６における第二表面部５ｂの上部且つ蓋体５の中心部には外方へ向って突出した円柱状の被係止部５ｃが形成してある。そして、被係止部５ｃを蓋固定部材４の支持アーム４ｂの係止部である係止孔４ｅに挿入することで、支持アーム４ｂに対して蓋体５を回転自在に係止してある。
また、蓋体５の第一表面部５ａにおける第二表面部５ｂとの境界部には２箇所のストッパー５ｄ（第１ストッパー５ｄ１、第２ストッパー５ｄ２）が形成してあり、２箇所のストッパー５ｄを、蓋体５が回転した際に支持アーム４ｂの２つの側面４ｋ（第一側面４ｋ１、第二側面４ｋ２）に当接するよう構成することで、蓋体５の回転範囲を規制してある。
【００２９】
蓋体５の表面には幅が異なり直線的な溝により形成された２つの溝状部５ｅ（第一溝状部５ｅ１、第二溝状部５ｅ２）が形成してあり、第一溝状部５ｅ１（小口通路）は芯が１本のみ同時に通過するよう溝幅を規制してある。更に、第二溝状部５ｅ２（大口通路）は３本の芯が並列して同時に通過できる溝幅で形成してある。
尚、第一溝状部５ｅ１（小口通路）は、蓋固定部材４の連絡孔４ｉに合わせて入口部５ｊが徐々に拡げられて形成してあり、芯２が連絡孔４ｉから第一溝状部５ｅ１を通過する際、第一溝状部５ｅ１の入口部５ｊにより芯２を引っ掛かり難くしてある。また、第二溝状部５ｅ２（大口通路）は、蓋固定部材４の連絡孔４ｉと略同幅で形成してある。
更に、本実施例では、図３の状態から蓋体５を反時計回りに回転させることで、第一溝状部５ｅ１と連絡孔４ｉとが直線的に繋がる第一芯通路６（図７参照）が形成されると共に、蓋体５を更に反時計回りに回転させることで、第二溝状部５ｅ２と連絡孔４ｉとが直線的に繋がる第二芯通路７（図９参照）が形成されるよう構成してある。
【００３０】
また、第一溝状部５ｅ１（小口通路）と第二溝状部５ｅ２（大口通路）は同じ深さの溝で形成されており、２つの溝状部を交差させてることで交差部５ｈが形成してある。
この交差部５ｈには、芯２が通過する際に引っ掛かり難くするため、交差部５ｈの各角部に凸曲面状の曲面加工（Ｒ加工）を施した面取部５ｉが形成してある。
尚、本実施例では第一溝状部５ｅ１（小口通路）と第二溝状部５ｅ２（大口通路）とを同じ深さの溝で形成しているが、溝状部を通る芯の本数によっては別な深さや形状で形成してもよい。
【００３１】
また、蓋体５の第一表面部５ａの外周端には該蓋体５の中心に向って凹状に形成した３つの被掛止部５ｆ（第一被掛止部５ｆ１、第二被掛止部５ｆ２、第三被掛止部５ｆ３）が形成してあり、それぞれの被係止部５ｆは掛止アーム４ｃの掛止凸部４ｇの曲率面に合わせて形成してある。そして、蓋体５を回転することで、掛止アーム４ｃが傾動して被掛止部５ｆと掛止部４ｆとの掛止状態が解除され、各々の被掛止部５ｆと掛止部４ｆとが掛止状態と非掛止状態とを切り替えることができるように構成してある。  
【００３２】
具体的には、被掛止部５ｆと掛止凸部４ｇとの掛止状態から蓋体５を回転させて掛止を解除するのに必要な回転トルクは、本実施例では０．０１４Ｎ・ｍとしてあり、好ましくは、０．００４Ｎ・ｍ以上０．０４０Ｎ・ｍ以下に構成すること、より好ましくは、０．００７Ｎ・ｍ以上０．０１８Ｎ・ｍ以下に構成することで、使用者の意思に反して蓋体５が回転してしまうことを防止すると共に、使用者の意思で容易に掛止状態を解除可能とすることができる。
尚、本実施例では、芯２が通る通路が形成されていない図３の状態から、第一芯通路６が形成される図７の状態まで蓋体５を回転させるのに必要な回転角度を３０度に設定してあり、更に、図７の状態から第二芯通路７が形成される図９の状態まで蓋体５を回転させるのに必要な回転角度を３０度に設定してある。このため、芯２が通る通路が形成されていない図３の状態から第二芯通路７が形成される図９の状態まで蓋体５を回転させるのに必要な回転角度は６０度となり、最大でも蓋体５を６０度回転させることで芯が排出されない状態と芯が排出される状態とを切り替えることができる。
【００３３】
また、蓋体５の外周面には図３及び図６のように連続した凹部５ｋが形成してあり、凹部５ｋにより蓋体５を指で回す際に滑り難くしてある。
更に、蓋体５の３つの被掛止部５ｆの内方には凹状に形成した陥没部５ｇが形成してあり、掛止アーム４ｃの掛止部４ｆと蓋体５の３つの被掛止部５ｆが掛止した際、空洞状の陥没部５ｇにより掛止音が反響することで、使用者が掛止したことを認識し易くなる効果を奏する。
【００３４】
ここで、蓋体５を回転自在にケース本体３に装着する方法について説明する。先ず始めに蓋体５の被係止部５ｃを蓋固定部材４の裏面側から係止孔４ｅに挿入する。そして、その被係止部５ｃの挿入状態を維持したまま蓋固定部材４をケース本体３の上部開口部に挿入し、蓋固定部材４の固定突起４ｈをケース本体３の取付孔３ｄに嵌着することで、蓋体５は蓋固定部材４から抜けることができなくなり、蓋体５がケース本体３に対して回転自在に装着される。
尚、蓋体固定部材４をケース本体３に挿入する際、蓋体固定部材４の側面下端部４ｍがケース本体３の内段部３ｈに当接することで、蓋体５の挿入が停止されるよう構成してある。
【００３５】
次に、蓋体５を回転することで、替芯ケース１から芯２を排出する動作について説明する。
図３の状態は、蓋固定部材４の連絡孔４ｉと蓋体５の２つの溝状部５ｅとが不連続状態にあるためケース本体３内部の芯収納部３ａから芯２が出ることはなく、替芯ケース１を携帯ないし保管する際の状態である。
この図３の状態から、ケース本体３の切欠部３ｇから外方へ突出した蓋体５の側面に指を掛け反時計回りに回転させると、第一被掛止部５ｆ１に掛止していた掛止部４ｆが掛止アーム４ｃが傾動することで掛止状態が解け、更に反時計回りに蓋体５を回転することで第二被掛止部５ｆ２と掛止アーム４ｃの掛止部４ｆとが掛止した図７の状態となる。このとき、蓋体５の第二溝状部５ｅ１と蓋固定部材４の連絡孔４ｉとが連通して１度に芯２が１本のみ通過可能な第一芯通路６が形成される。また、図７の状態で、図８のように、替芯ケース１を上下逆にして保持することで芯収納部３ａから第一芯通路６を通して芯２を１本ずつ排出させることができる。
そして、図７の状態から蓋体５を反時計方向に回転させると、第二被掛止部５ｆ２に掛止していた掛止アーム４ｃが傾動することで掛止状態が解け、更に反時計回りに蓋体５を回転することで第三被掛止部５ｆ３と掛止アーム４の掛止部４ｆとが掛止した図９の状態となる。この際、支持アーム４ｂの第一側面４ｋ１と蓋体５の第１ストッパー５ｄ１とが当接することで、蓋体５の反時計方向への回転が規制された状態となり、蓋体５が必要以上回転してしまうことを防止できる。また、このとき、蓋体５の第二溝状部５ｅ２と蓋固定部材４の連絡孔４ｉとが連通して同時に最大３本の芯が通過可能な第二芯通路７が形成される。尚、図９の状態で、図１０のように替芯ケース１を上下逆にして保持することで第二芯通路７を通して芯２を複数本（最大３本）ずつ排出させることができる。  
【００３６】
また、図９の状態から蓋体５を時計方向に回転させると、第三被掛止部５ｆ３に掛止していた掛止アーム４ｃが傾動することで掛止状態が解け、更に時計回りに蓋体５を回転することで第二被掛止部５ｆ２と掛止アーム４ｃの掛止部４ｆとの掛止状態を経て第一被掛止部５ｆ１と掛止アーム４ｃの掛止部４ｆとが掛止した図３の状態に戻る。この際、支持アーム４ｃの第二側面４ｋ２と蓋体５の第２ストッパー５ｄ２とが当接することで、蓋体５の時計方向への回転が規制された状態となり、蓋体５が必要以上回転してしまうことを防止できると共に、連絡孔４ｉが蓋体５により塞がれた状態となる。このため、使用者は掛止アーム４ｃの掛止状態を気にすることなくストッパー５ｄが支持アーム４ｂに当たるまで蓋体５を回転することで芯２が排出されない保管状態へ移行できるため、保管時に替芯ケース１から芯２が誤って排出されてしまうことを防止することができる。
【００３７】
本実施例では、蓋体を回転する際、芯が排出されない図３の状態から芯が一度に１本のみ排出する図７の状態、及び、図７の芯が一度に１本のみ排出する状態から芯が複数本同時に排出可能な図９の状態まで回転させるのに必要な回転角度を３０度としているため、蓋体を回転させる角度が小さく、容易に芯の排出本数を切り替えることができる替芯ケースを提供することができた。
【００３８】
尚、本実施例では便宜上、芯通路を同時に通過可能な芯の本数が、第一芯通路（１本）、第二芯通路（３本）で例示しているが、第一芯通路（２本）、第二芯通路（４本）、又は、第一芯通路（１本）、第二芯通路（８本）等、任意に選択して実施することができる。
【符号の説明】
【００３９】
１…替芯ケース、
２…芯、
３…ケース本体、３ａ…芯収納部、３ｂ…上部表面部、３ｃ…内孔部、３ｄ…取付孔、
３ｅ…上端、３ｆ…側面、３ｇ…切欠部、３ｈ…内段部、
４…蓋固定部材、４ａ…基部、４ｂ…支持アーム、４ｃ…掛止アーム、
４ｄ…固定アーム、４ｅ…係止孔（係止部）、４ｆ…掛止部、４ｇ…掛止凸部、
４ｈ…固定突起、４ｉ…連絡孔、４ｊ…傾斜面（傾斜部）、４ｋ…側面、
４ｋ１…第一側面、４ｋ２…第二側面、４ｍ…側面下端部、
５…蓋体、５ａ…第一表面部、５ｂ…第二表面部、５ｃ…被係止部、５ｄ…ストッパー、
５ｄ１…第１ストッパー、５ｄ２…第２ストッパー、５ｅ…溝状部、
５ｅ１…第一溝状部（小口通路）、５ｅ２…第二溝状部（大口通路）、
５ｆ…被掛止部、５ｆ１…第一被掛止部、５ｆ２…第二被掛止部、
５ｆ３…第三被掛止部、５ｇ…陥没部、５ｈ…交差部、５ｉ…面取部、５ｊ…入口部、
５ｋ…凹部、
６…第一芯通路、
７…第二芯通路。
【図１】
2019064019.tif 000003
【図２】
2019064019.tif 000004
【図３】
2019064019.tif 000005
【図４】
2019064019.tif 000006
【図５】
2019064019.tif 000007
【図６】
2019064019.tif 000008
【図７】
2019064019.tif 000009
【図８】
2019064019.tif 000010
【図９】
2019064019.tif 000011
【図１０】
2019064019.tif 000012